(57)【要約】【課題】光透過性を有するシートを容易に交換可能である照明器具を提供することを目的とする。【解決手段】この発明に係る照明器具は、中空の四角柱形状を有する外側側板１０と、外側側板１０の内側に配置される中空の四角柱形状を有する内側側板２０と、外側側板１０および内側側板２０の一端に取り付けられる底板３０と、底板３０の略中央に配置される光源７０と、光源７０の光の周囲に配置される光透過性を有するシート４０とを備える。また、内側側板２０の上端には、取手を有する天板５０が付設される。シート４０は、外側側板１０の平面１１と内側側板２０の平面２１との間に挿入される。【選択図】        図３
2005032506.tif 000002
【特許請求の範囲】
【請求項１】
その側面に複数の孔が形成される筒状の外側側板と、
その端面が外側側板の端面と相似形状を有し、前記外側側板の内側に配置されたときに前記外側側板の孔と対応する孔が形成される筒状の内側側板と、
前記外側側板および前記内側側板の一端に取り付けられ、前記外側側板の略軸心と前記内側側板の略軸心とを一致させるように前記外側側板および前記内側側板を固定する底板と、
前記底板の略中央に配置される光源と、
前記底板により固定された前記外側側板と前記内側側板との間に挿入される光透過性を有するシートと、
を備えることを特徴とする照明器具。
【請求項２】
請求項１に記載の照明器具において、
前記外側側板および前記内側側板は多角柱形状を有する照明器具。
【請求項３】
請求項２に記載の照明器具において、
前記シートは、前記外側側板および前記内側側板の各側平面毎に、前記外側側板と前記内側側板との間に個別に挿入される照明器具。
【請求項４】
請求項１に記載の照明器具において、
前記外側側板および前記内側側板は円柱形状を有する照明器具。
【請求項５】
請求項１乃至請求項４のいずれかに記載の照明器具において、
前記外側側板および前記内側側板における底板に固定される端面とは逆側の端面に対して着脱自在とする蓋部材を備える照明器具。
【発明の詳細な説明】
【０００１】
【発明の属する技術分野】
この発明は、光源の装飾効果を高めるための行燈や燈籠等の照明器具に関する。
【０００２】
【従来の技術】
行燈や燈籠等の照明器具は、光源の装飾効果を高めるとともに、光源を外部環境から保護するため、例えば、特許文献１に記載されるように、上面が平面に形成された底壁部と、底壁部の上に配置されて火袋を形成する周壁部と、火袋内に配置されるロウソク立てと、周壁部の上部を塞ぐ蓋部とを備え、周壁部は複数の壁体で形成され、壁体の内側全面に亘って光透過性を有するシートとしてのガラス板９が嵌め込まれたものが公知となっている。
【０００３】
【特許文献１】
特開平１０−２７５０４号公報
【０００４】
【発明が解決しようとする課題】
このような行燈や燈籠等の照明器具に対して、季節に応じて絵柄を変えることにより周囲の雰囲気を変化させるため、光源の周囲に配置される光透過性を有するシートを容易に交換可能であることが要求されている。また、シートの破損等によりシートの交換が必要とされる場合もある。
【０００５】
しかしながら、特許文献１に記載される燈籠は、ガラス板９が接着部材によって壁体７に貼着されているため、一度貼着されたガラス板９を他のガラス板等と交換することは困難である。
【０００６】
この発明は、以上のような課題を解決するためになされたものであり、光透過性を有するシートを容易に交換可能である照明器具を提供することを目的とする。
【０００７】
【課題を解決するための手段】
請求項１に記載の発明は、その側面に複数の孔が形成される筒状の外側側板と、その端面が外側側板の端面と相似形状を有し、前記外側側板の内側に配置されたときに前記外側側板の孔と対応する孔が形成される筒状の内側側板と、前記外側側板および前記内側側板の一端に取り付けられ、前記外側側板の略軸心と前記内側側板の略軸心とを一致させるように前記外側側板および前記内側側板を固定する底板と、前記底板の略中央に配置される光源と、前記底板により固定された前記外側側板と前記内側側板との間に挿入される光透過性を有するシートと、を備えることを特徴とする。
【０００８】
請求項２に記載の発明は、請求項１に記載の照明器具において、前記外側側板および前記内側側板は多角柱形状を有する。
【０００９】
請求項３に記載の発明は、請求項２に記載の照明器具において、前記シートは、前記外側側板および前記内側側板の各側平面毎に、前記外側側板と前記内側側板との間に個別に挿入される。
【００１０】
請求項４に記載の発明は、請求項１に記載の照明器具において、前記外側側板および前記内側側板は円柱形状を有する。
【００１１】
請求項５に記載の発明は、請求項１乃至請求項４のいずれかに記載の照明器具において、前記外側側板および前記内側側板における底板に固定される端面とは逆側の端面に対して着脱自在とする蓋部材を備える。
【００１２】
【発明の実施の形態】
以下、この発明の実施の形態について説明する。図１はこの発明の第１実施形態に係る照明器具を示す斜視図であり、図２はその平面図である。
【００１３】
この発明の第１実施形態に係る照明器具は、中空の四角柱形状を有する外側側板１０と、その端面が外側側板１０の端面と相似形状を有し、外側側板１０の内側に配置される中空の四角柱形状を有する内側側板２０と、外側側板１０および内側側板２０の一端に取り付けられる底板３０と、底板３０の略中央に配置される光源７０（図３参照）と、光源７０の光の周囲に配置される光透過性を有する４枚のシート４０ａ乃至４０ｄとを備える。また、内側側板２０の上端には、取手を有する天板５０が付設される。
【００１４】
外側側板１０の側面を構成する各平面１１ａ、１１ｂ、１１ｃ、１１ｄには、それぞれ孔１２ａ、１２ｂ、１２ｃ、１２ｄが形成される。
【００１５】
外側平面１０と同様に、内側側板２０の側面における各平面２１ａ、２１ｂ、２１ｃ、２１ｄには、それぞれ孔２２ａ、２２ｂ、２２ｃ、２２ｄが形成される。なお、これらの孔２２ａ、２２ｂ、２２ｃ、２２ｄは、外側側板１０に形成される孔１２ａ、１２ｂ、１２ｃ、１２ｄに対応する位置に形成されている。
【００１６】
底板３０は、外側側板１０の略軸心と内側側板２０の略軸心とを一致させるように外側側板１０および内側側板２０を固定する。
【００１７】
図３は、この発明の第１実施形態に係る照明器具にシート４０を挿入する様子を示す説明図である。
【００１８】
図１に示す４枚のシート４０ａ乃至４０ｄは、外側平面１０および内側平面２０の各平面毎に備えられる。すなわち、シート４０ａは孔１２ａおよび孔２２ａを閉鎖可能な形状を有する。図３に示すように、シート４０は、外側側板１０の平面１１ａと内側側板２０の平面２１ａとの間に挿入されることにより、外側側板１０の孔１２ａと内側側板２０の孔２２ａとを閉鎖する。シート４０ｂ乃至シート４０ｄについても、シートａと同様に、それぞれ、外側側板１０の平面１１ｂ乃至１１ｄに形成される孔１２ｂ乃至１２ｄと、内側側板２０の平面２１ｂ乃至２１ｄに形成される孔２２ｂ乃至２２ｄとを閉鎖する。
【００１９】
この発明の第１実施形態に係る照明器具は、以上のような構成をとることにより、容易にシート４０を図柄や色彩の異なる他のシートと交換することができる。このため、季節に応じて絵柄を変えることにより周囲の雰囲気を変化させることができる。また、シートの破損等による修復も容易に行うことができる。
【００２０】
次に、この発明の他の実施の形態について説明する。図４はこの発明の第２実施形態に係る照明器具を示す斜視図、図５はその蓋部材６０を外した場合における平面図である。
【００２１】
この発明の第１実施形態に係る照明器具は、内側側板２０の上端に天板５０を備えるのに対し、この発明の第２実施形態に係る照明器具は、天板５０に代えて、蓋部材６０を装着する構成となっている。この蓋部材６０は、外側側板１０および内側側板２０における上端面に対して着脱自在に取り付けられる。
【００２２】
図６は、蓋部材６０の底面図である。
【００２３】
蓋部材６０は、枠部６１を備える。この枠部６１は、外側側板１０における端面に対応する形状を有し、外側側板１０の端面に嵌合可能となっている。このため、蓋部材６０を、外側側板１０および内側側板２０に対して、安定した状態で取り付けることができる。
【００２４】
図７は、この発明の第２実施形態に係る照明器具にシート４０を挿入する様子を示す説明図である。
【００２５】
この発明の第２実施形態に係る照明器具にシート４０を挿入するときには、まず、蓋部材６０を取り外し、シート４０を挿入可能な状態にする。そして、この発明の第１実施形態における場合と同様にして、孔１２ａ乃至１２ｄおよび孔２２ａ乃至２２ｄを閉鎖するように、シート４０を外側側板１０と内側側板２０との間に挿入する。
【００２６】
この発明の第２実施形態に係る照明器具は、以上のような構成をとることにより、この蓋部材５０を取り外すことで、より容易に照明器具内部の光源７０を取り替えることができる。
【００２７】
図８はこの発明の第３実施形態に係る照明器具を示す斜視図であり、図９はその平面図である。
【００２８】
この発明の第１実施形態に係る照明器具は、四角柱形状の外側側板１０と、四角柱形状の内側側板２０とを備えるのに対し、この発明の第３実施形態に係る照明器具は、円柱形状の外側側板１３と、円柱形状の内側側板２３とを備える。
【００２９】
この外側側板１３の側面には、孔１４ａ、１４ｂが形成される。また、内側側板２３の側面には、孔２４ａ、２４ｂが形成される。なお、これらの孔２４ａ、２４ｂは、外側側板１３に形成される孔１４ａ、１４ｂに対応する位置に形成されている。また、この発明の第３実施形態に係る照明器具は、シート４０ａ乃至４０ｄを備える代わりに、これらの孔１４ａ、１４ｂおよび２４ａ、２４ｂを閉鎖可能な形状を有するシート４１を備える。
【００３０】
図１０は、この発明の第３実施形態に係る照明器具にシート４１を挿入する様子を示す説明図である。
【００３１】
この発明の第３実施形態に係る照明器具にシート４１を挿入するときには、第１実施形態における場合と同様にして、シート４１を、孔１４ａ、１４ｂおよび孔２４ａ、２４ｂを閉鎖するように、外側側板１３と内側側板２３との間に挿入する。
【００３２】
この発明の第３実施形態に係る照明器具は、外側側板１３および内側側板２３は、円柱形状を有するため、孔１４ａ、１４ｂ、２４ａ、２４ｂを閉鎖するために、第１実施形態または第２実施形態において説明した複数のシート４０ａ乃至４０ｄを用いる代わりに、単一のシート４１を用いる場合であっても、シート４１を折り曲げることなく、外側側板１３と内側側板２３との間に挿入することができる。
【００３３】
なお、先に説明した第１実施形態および第２実施形態においては、四角柱形状の外側側板１０および内側側板２０を使用しているが、四角柱以外の多角柱形状を有する外側側板１０および内側側板２０を使用することとしてもよい。
【００３４】
【発明の効果】
請求項１および請求項２に記載の発明によれば、その側面に複数の孔が形成される筒状の外側側板と、その端面が外側側板の端面と相似形状を有し、外側側板の内側に配置されたときに外側側板の孔と対応する孔が形成される筒状の内側側板と、外側側板と内側側板との間に挿入される光透過性を有するシートとを備えることから、光透過性を有するシートを容易に交換することができる。このため、季節に応じて絵柄を変えることにより容易に周囲の雰囲気を変化させることができる。また、シートの破損等による修復も容易に行うことができる。
【００３５】
請求項３に記載の発明によれば、シートは、多角柱形状を有する外側側板および内側側板の各側平面毎に備えられることから、シートを折り曲げることなく、外側側板と内側側板との間に挿入することができる。
【００３６】
請求項４に記載の発明によれば、外側側板および内側側板は円柱形状を有することから、単一のシートを用いる場合であっても、シートを折り曲げることなく、外側側板と内側側板との間に挿入することができる。
【００３７】
請求項５に記載の発明によれば、外側側板および内側側板における底板に固定される端面とは逆側の端面に対して着脱自在とする蓋部材を備えることから、この蓋部材を取り外すことにより、より容易に照明器具内部の光源を取り替えることができる。
【図面の簡単な説明】
【図１】この発明の第１実施形態に係る照明器具を示す斜視図である。
【図２】この発明の第１実施形態に係る照明器具を示す平面図である。
【図３】この発明の第１実施形態に係る照明器具にシート４０を挿入する様子を示す説明図である。
【図４】この発明の第２実施形態に係る照明器具を示す斜視図である。
【図５】この発明の第２実施形態に係る照明器具の蓋部材６０を外した場合における平面図
【図６】この発明の第２実施形態に係る照明器具の蓋部材６０の平面図である。
【図７】この発明の第２実施形態に係る照明器具にシート４０を挿入する様子を示す説明図である。
【図８】この発明の第３実施形態に係る照明器具を示す斜視図である。
【図９】この発明の第３実施形態に係る照明器具を示す平面図である。
【図１０】この発明の第３実施形態に係る照明器具にシート４１を挿入する様子を示す説明図である。
【符号の説明】
１０      外側側板
１１      平面
１２      孔
１３      外側側板
１４      孔
２０      内側側板
２１      側平面
２２      孔
２３      内側側板
２４      孔
３０      底板
４０      シート
４１      シート
５０      天板
５１      取手
６０      蓋部材
６１      枠
７０      光源
【図１】
2005032506.tif 000003
【図２】
2005032506.tif 000004
【図３】
2005032506.tif 000005
【図４】
2005032506.tif 000006
【図５】
2005032506.tif 000007
【図６】
2005032506.tif 000008
【図７】
2005032506.tif 000009
【図８】
2005032506.tif 000010
【図９】
2005032506.tif 000011
【図１０】
2005032506.tif 000012